(57)【要約】【課題】あるデバイスからの要求に応じて、他のデバイスの表示情報を送信する。【解決手段】プロセスに関する信号を送受信するＨＡＲＴ通信対応機器１を複数接続可能なＨＡＲＴ−ＩＯ機器２０であって、所定の操作指示に対応する操作信号を複数のＨＡＲＴ通信対応機器１の一つである第１ＨＡＲＴ通信対応機器から受信する操作信号受信部２２と、操作信号受信部２２により受信された操作信号に基づいて、自ＨＡＲＴ−ＩＯ機器２０に接続しているＨＡＲＴ通信対応機器１の中から、操作信号の送信元である第１ＨＡＲＴ通信対応機器を除く、いずれか一つの第２ＨＡＲＴ通信対応機器を選定する選定部２３と、選定部２３により選定された第２ＨＡＲＴ通信対応機器に関する情報を他デバイス情報として、操作信号の送信元である第１ＨＡＲＴ通信対応機器に送信する他デバイス情報送信部２４と、を備える。【選択図】図２
2014095994.tif 000002
【特許請求の範囲】
【請求項１】
プロセスに関する信号を送受信するデバイスを複数接続可能な入出力機器であって、
所定の操作指示に対応する操作信号を複数の前記デバイスの一つである第１デバイスから受信する操作信号受信部と、
前記操作信号受信部により受信された前記操作信号に基づいて、自入出力機器に接続している前記デバイスの中から、前記操作信号の送信元である前記第１デバイスを除く、いずれか一つの第２デバイスを選定する選定部と、
前記選定部により選定された前記第２デバイスに関する情報を他デバイス情報として、前記操作信号の送信元である前記第１デバイスに送信する他デバイス情報送信部と、
を備えることを特徴とする入出力機器。
【請求項２】
通信ケーブルを介して前記デバイスを接続するための複数の接続口を、さらに備え、
前記選定部は、前記操作信号受信部により受信された前記操作信号ごとに、前記接続口を特定するための特定情報の昇順方向または降順方向に、前記接続口を走査して前記第２デバイスを選定する、
ことを特徴とする請求項１記載の入出力機器。
【請求項３】
請求項２記載の入出力機器を複数含む入出力装置であって、
前記操作信号は、一つの前記入出力機器内の前記接続口を順次選定するように指示する第１信号と、一つの前記入出力装置内の前記入出力機器を順次選定するように指示する第２信号と、を含み、
前記選定部は、
前記操作信号受信部により前記第１信号が受信された場合には、当該第１信号が受信されるごとに、前記接続口を特定するための特定情報の昇順方向または降順方向に、前記接続口を走査して前記第２デバイスを選定し、
前記操作信号受信部により前記第２信号が受信された場合には、当該第２信号が受信されるごとに、前記入出力機器を特定するための特定情報の昇順方向または降順方向に、前記入出力機器を走査して前記第２デバイスを選定する、
ことを特徴とする入出力装置。
【請求項４】
プロセスに関する信号を送受信するデバイスと、複数の前記デバイスが接続可能な入出力機器と、を備えるシステムであって、
前記デバイスは、
所定の操作指示を入力するための操作入力部と、
前記操作入力部から入力された前記操作指示に対応する操作信号を前記入出力機器に送信する操作信号送信部と、
前記操作信号に基づいて選定された、前記入出力機器に接続されている他の前記デバイスに関する情報である他デバイス情報を前記入出力機器から受信する他デバイス情報受信部と、
前記他デバイス情報受信部により受信された前記他デバイス情報を表示する表示部と、を備え、
前記入出力機器は、
前記操作信号を複数の前記デバイスの一つである第１デバイスから受信する操作信号受信部と、
前記操作信号受信部により受信された前記操作信号に基づいて、自入出力機器に接続している前記デバイスの中から、前記操作信号の送信元である前記第１デバイスを除く、いずれか一つの第２デバイスを選定する選定部と、
前記選定部により選定された前記第２デバイスに関する情報を前記他デバイス情報として、前記操作信号の送信元である前記第１デバイスに送信する他デバイス情報送信部と、を備える、
ことを特徴とするシステム。
【請求項５】
前記入出力機器は、
通信ケーブルを介して前記デバイスを接続するための複数の接続口を、さらに備え、
前記選定部は、前記操作信号受信部により受信された前記操作信号ごとに、前記接続口を特定するための特定情報の昇順方向または降順方向に、前記接続口を走査して前記第２デバイスを選定する、
ことを特徴とする請求項４記載のシステム。
【請求項６】
複数の前記入出力機器を含む入出力装置を、さらに備え、
前記操作信号は、一つの前記入出力機器内の前記接続口を順次選定するように指示する第１信号と、一つの前記入出力装置内の前記入出力機器を順次選定するように指示する第２信号と、を含み、
前記選定部は、
前記操作信号受信部により前記第１信号が受信された場合には、当該第１信号が受信されるごとに、前記接続口を特定するための特定情報の昇順方向または降順方向に、前記接続口を走査して前記第２デバイスを選定し、
前記操作信号受信部により前記第２信号が受信された場合には、当該第２信号が受信されるごとに、前記入出力機器を特定するための特定情報の昇順方向または降順方向に、前記入出力機器を走査して前記第２デバイスを選定する、
ことを特徴とする請求項５記載のシステム。
【請求項７】
プロセスに関する信号を送受信するデバイスであって、
所定の操作指示を入力するための操作入力部と、
前記操作入力部から入力された前記操作指示に対応する操作信号を、複数の前記デバイスが接続可能な入出力機器に送信する操作信号送信部と、
前記操作信号に基づいて選定された、前記入出力機器に接続されている他の前記デバイスに関する情報である他デバイス情報を前記入出力機器から受信する他デバイス情報受信部と、
前記他デバイス情報受信部により受信された前記他デバイス情報を表示する表示部と、
を備えることを特徴とするデバイス。
【発明の詳細な説明】
【技術分野】
【０００１】
本発明は、入出力機器、システムおよびデバイスに関する。
【背景技術】
【０００２】
生産プロセスを管理する現場では、通信機能を有する各種のデバイス（例えばセンサやバルブ等）をプラントに設置し、デバイスから発信される信号をシステムに取り込むことで、各種の生産プロセスを管理している。生産プロセスを管理するシステムとして、例えばセンサから取得した流量や温度、圧力等に基づいてバルブの開度等を制御するものがある。下記特許文献１には、デバイス（フィールド機器）の表示部に、自デバイスにおける測定値や制御値等の表示情報に加え、他のデバイスの表示情報も表示する技術が開示されている。
【先行技術文献】
【特許文献】
【０００３】
【特許文献１】特開２０１２−１２３４４６号公報
【発明の概要】
【発明が解決しようとする課題】
【０００４】
上述した特許文献１のデバイスは、システム内の上位装置または他のデバイスから送信されてきた表示情報を表示部に表示するのみであり、情報を表示するデバイス側から他のデバイスの表示情報を問い合わせて取得することまではしていない。したがって、他のデバイスの表示情報を、上位装置等に問い合わせて参照することができなかった。
【０００５】
本発明は、上述した従来技術による問題点を解消するためになされたものであり、あるデバイスからの要求に応じて、他のデバイスの表示情報を送信することができる入出力機器、システムおよびデバイスを提供することを目的とする。
【課題を解決するための手段】
【０００６】
本発明に係る入出力機器は、プロセスに関する信号を送受信するデバイスを複数接続可能な入出力機器であって、所定の操作指示に対応する操作信号を複数の前記デバイスの一つである第１デバイスから受信する操作信号受信部と、前記操作信号受信部により受信された前記操作信号に基づいて、自入出力機器に接続している前記デバイスの中から、前記操作信号の送信元である前記第１デバイスを除く、いずれか一つの第２デバイスを選定する選定部と、前記選定部により選定された前記第２デバイスに関する情報を他デバイス情報として、前記操作信号の送信元である前記第１デバイスに送信する他デバイス情報送信部と、を備える。
【０００７】
かかる構成を採用することで、入出力機器に接続している第１デバイスにおいてユーザが所望の操作指示を入力すると、入出力機器が、その操作指示に対応する操作信号に基づいて、入出力機器に接続している第２デバイスを選定し、その選定した第２デバイスに関する情報を、第１デバイスに送信することができる。これにより、ユーザが所望する第２デバイスに関する情報を、第１デバイスに表示させることが可能となる。
【０００８】
本発明に係るシステムは、プロセスに関する信号を送受信するデバイスと、複数の前記デバイスが接続可能な入出力機器と、を備えるシステムであって、前記デバイスは、所定の操作指示を入力するための操作入力部と、前記操作入力部から入力された前記操作指示に対応する操作信号を前記入出力機器に送信する操作信号送信部と、前記操作信号に基づいて選定された、前記入出力機器に接続されている他の前記デバイスに関する情報である他デバイス情報を前記入出力機器から受信する他デバイス情報受信部と、前記他デバイス情報受信部により受信された前記他デバイス情報を表示する表示部と、を備え、前記入出力機器は、前記操作信号を複数の前記デバイスの一つである第１デバイスから受信する操作信号受信部と、前記操作信号受信部により受信された前記操作信号に基づいて、自入出力機器に接続している前記デバイスの中から、前記操作信号の送信元である前記第１デバイスを除く、いずれか一つの第２デバイスを選定する選定部と、前記選定部により選定された前記第２デバイスに関する情報を前記他デバイス情報として、前記操作信号の送信元である前記第１デバイスに送信する他デバイス情報送信部と、を備える。
【０００９】
かかる構成を採用することで、入出力機器に接続している第１デバイスでユーザが所望の操作指示を入力すると、入出力機器が、その操作指示に対応する操作信号に基づいて、入出力機器に接続している第２デバイスを選定し、その選定した第２デバイスに関する情報を、第１デバイスに送信することができ、第１のデバイスでは、ユーザが所望した第２デバイスに関する情報を表示部に表示させることが可能となる。
【００１０】
前記入出力機器は、通信ケーブルを介して前記デバイスを接続するための複数の接続口を、さらに備え、前記選定部は、前記操作信号受信部により受信された前記操作信号ごとに、前記接続口を特定するための特定情報の昇順方向または降順方向に、前記接続口を走査して前記第２デバイスを選定する、こととしてもよい。
【００１１】
これにより、第１デバイスで操作指示を繰り返し入力していくことで、入出力機器に接続している第２デバイスに関する情報を、順次、表示部に表示させていくことが可能となる。
【００１２】
前記複数の前記入出力機器を含む入出力装置を、さらに備え、前記操作信号は、一つの前記入出力機器内の前記接続口を順次選定するように指示する第１信号と、一つの前記入出力装置内の前記入出力機器を順次選定するように指示する第２信号と、を含み、前記選定部は、前記操作信号受信部により前記第１信号が受信された場合には、当該第１信号が受信されるごとに、前記接続口を特定するための特定情報の昇順方向または降順方向に、前記接続口を走査して前記第２デバイスを選定し、前記操作信号受信部により前記第２信号が受信された場合には、当該第２信号が受信されるごとに、前記入出力機器を特定するための特定情報の昇順方向または降順方向に、前記入出力機器を走査して前記第２デバイスを選定する、こととしてもよい。
【００１３】
これにより、第１デバイスで異なる種類の操作指示を組み合わせて入力していくことで、第１デバイスと同一の入出力機器に接続している第２デバイスに関する情報に加え、他の入出力機器に接続している第２デバイスに関する情報も、順次、表示部に表示させていくことが可能となる。
【発明の効果】
【００１４】
本発明によれば、あるデバイスからの要求に応じて、他のデバイスの表示情報を送信することが可能な入出力機器、システムおよびデバイスを提供することができる。
【図面の簡単な説明】
【００１５】
【図１】実施形態における入出力機器およびデバイスを含むプロセス管理システムの構成を例示するブロック図である。
【図２】ＨＡＲＴ通信対応機器およびＨＡＲＴ−ＩＯ機器の構成を例示するブロック図である。
【図３】実施形態における他のＨＡＲＴ通信対応機器のデバイス情報を表示させる際の動作手順を説明するための模式図である。
【図４】変形例における他のＨＡＲＴ通信対応機器のデバイス情報を表示させる際の動作手順を説明するための模式図である。
【発明を実施するための形態】
【００１６】
以下、図面を参照して本発明に係る実施形態について説明する。ただし、以下に説明する実施形態は、あくまでも例示であり、以下に明示しない種々の変形や技術の適用を排除するものではない。すなわち、本発明は、その趣旨を逸脱しない範囲で種々変形して実施できる。
【００１７】
まず、図１を参照して、実施形態における入出力機器およびデバイスを含むプロセス管理システムの構成について説明する。図１に示すように、プロセス管理システム１００は、例えば、デバイスであるＨＡＲＴ（Highway Addressable Remote Transducer）通信対応機器１と、ＨＡＲＴ通信機能を有する入出力機器であるＨＡＲＴ−ＩＯ機器２０を複数収容するＨＡＲＴ−ＩＯ装置２と、上位装置３と、を備える。上位装置３には、機器監視装置３１、運転操作装置３２およびコントローラ３３が含まれる。
【００１８】
機器監視装置３１は、ＨＡＲＴ通信対応機器１の状態等を監視する監視系統として機能し、運転操作装置３２およびコントローラ３３は、生産プロセスを制御する制御系統として機能する。
【００１９】
ＨＡＲＴ−ＩＯ装置２と機器監視装置３１との間は、例えば、イーサネット（登録商標）規格の通信ケーブル４で接続され、ＨＡＲＴ−ＩＯ装置２とコントローラ３３との間は、例えば、通信バス５で接続される。
【００２０】
ＨＡＲＴ通信対応機器１は、プラント内に装備される各種のデバイスである。ＨＡＲＴ通信対応機器１としては、例えば、流量や圧力、温度等を発信する発信器、流量制御弁や圧力制御弁等のバルブの開度を変更・検出するバルブポジショナ、およびポンプやファン等を動作させるアクチュエータが該当する。
【００２１】
ＨＡＲＴ通信対応機器１は、ＨＡＲＴ通信機能を搭載し、ＨＡＲＴ通信信号を入出力する。ＨＡＲＴ通信信号は、４〜２０ｍＡの直流信号に、デジタル信号の論理を２２００Ｈｚと１２００Ｈｚとの周波数信号に割り当てて変換した交流信号を重畳することで生成される信号である。
【００２２】
上記４〜２０ｍＡの直流信号は、ＨＡＲＴ通信対応機器１ごとに設定される一つの変数値を示す信号である。変数値としては、例えば、流量、圧力、温度等の測定値や、弁開度等の制御値等のようなプロセスに関するデータが該当する。上記デジタル信号は、例えば、ＨＡＲＴ通信対応機器１内で収集可能な各種のデータに対応する信号である。各種のデータとしては、例えば、ＨＡＲＴ通信対応機器１におけるプロセス情報や、ＨＡＲＴ通信対応機器１に組み込まれているハードウェアの診断情報が該当する。なお、ＨＡＲＴ通信対応機器の測定値や制御値を各種のデータに含めることとしてもよい。
【００２３】
ＨＡＲＴ−ＩＯ装置２は、その内部に、複数のＨＡＲＴ−ＩＯ機器２０を収容可能な入出力装置である。ＨＡＲＴ−ＩＯ機器２０は、複数の接続口（ポート）を有する入出力機器であり、各接続口にＨＡＲＴ通信対応機器１を接続する。ＨＡＲＴ−ＩＯ機器２０は、各ＨＡＲＴ通信対応機器１との間でＨＡＲＴ通信信号を送受信するとともに、機器監視装置３１との間でデジタル信号を送受信する。
【００２４】
本実施形態におけるプロセス管理システム１００では、それぞれ複数存在し得るＨＡＲＴ−ＩＯ装置２、ＨＡＲＴ−ＩＯ機器２０およびＨＡＲＴ通信対応機器１を、以下のように管理する。ＨＡＲＴ−ＩＯ装置２ごとに、異なるファイル番号をそれぞれ付与する。一つのＨＡＲＴ−ＩＯ装置２に収容されているＨＡＲＴ−ＩＯ機器２０ごとに、異なるカード番号をそれぞれ付与する。一つのＨＡＲＴ−ＩＯ機器２０に設けられている接続口ごとに、異なるスロット番号をそれぞれ付与する。これにより、ＨＡＲＴ通信対応機器１のシステム内での接続先を、ファイル番号とカード番号とスロット番号とで特定することが可能となる。
【００２５】
本実施形態では、このファイル番号とカード番号とスロット番号とで表す情報を、ＨＡＲＴ通信対応機器１の接続先情報として用いる。例えば、接続先情報が、“５．４．８”である場合、この接続先情報は、ファイル番号が“５”であるＨＡＲＴ−ＩＯ装置２内のうち、カード番号が“４”であるＨＡＲＴ−ＩＯ機器２０におけるスロット番号が“８”となる接続口に接続されているＨＡＲＴ通信対応機器１の接続先を示すことになる。
【００２６】
機器監視装置３１は、定期的に、ＨＡＲＴ−ＩＯ機器２０を介して各ＨＡＲＴ通信対応機器１にリクエスト信号を送信し、そのリクエスト信号に対するレスポンス信号を受信する。機器監視装置３１は、受信したレスポンス信号に基づいて、ＨＡＲＴ通信対応機器１でのプロセスの実行状況や、ＨＡＲＴ通信対応機器１に組み込まれているハードウェアの故障状況、ＨＡＲＴ通信対応機器１のメンテナンスおよび修理の必要時期等を診断する。機器監視装置３１は、診断結果等をモニタ（不図示）に表示する。これにより、管理者は、ＨＡＲＴ通信対応機器１の状態を把握することが可能となる。
【００２７】
コントローラ３３は、ＨＡＲＴ通信対応機器１を制御することで、生産プロセスの実施状態を制御する。例えば、コントローラ３３は、あるＨＡＲＴ通信対応機器１から取得した流量や圧力等の測定値に基づいて、他のＨＡＲＴ通信対応機器１を制御することで、バルブの開度を調節する。
【００２８】
運転操作装置３２は、コントローラ３３で受信した４〜２０ｍＡの直流信号に基づいてＨＡＲＴ通信対応機器１の運転内容をモニタ（不図示）に表示する。これにより、運用者は、ＨＡＲＴ通信対応機器１の入出力状態を把握することが可能となる。運転操作装置３２は、運用者の操作指示に従って、コントローラ３３の運転状態を操作する。運転状態の操作内容としては、例えば、コントローラ３３の起動操作や停止操作等が該当する。
【００２９】
図２を参照して、ＨＡＲＴ通信対応機器１およびＨＡＲＴ−ＩＯ機器２０の構成について説明する。図２に示すように、ＨＡＲＴ通信対応機器１は、例えば、操作入力部１１と、操作信号送信部１２と、他デバイス情報受信部１３と、表示部１４と、を有する。
【００３０】
操作入力部１１は、ＨＡＲＴ−ＩＯ機器２０に対する所定の操作指示を入力するための入力キーである。操作指示としては、例えば、自デバイスが接続しているＨＡＲＴ−ＩＯ機器２０に設けられている接続口のうち、他のＨＡＲＴ通信対応機器１が接続している接続口を検出させるための指示が該当する。
【００３１】
本実施形態では、入力キーとして、例えば、現在位置している接続口から下方向（スロット番号の昇順方向）に接続口を検出するように指示するための“↓”キー、および、現在位置している接続口から上方向（スロット番号の降順方向）に接続口を検出するように指示するための“↑”キーを用いる。
【００３２】
操作信号送信部１２は、操作入力部１１から入力された操作指示に対応する操作信号をＨＡＲＴ−ＩＯ機器２０に送信する。
【００３３】
他デバイス情報受信部１３は、自デバイス１の接続先であるＨＡＲＴ−ＩＯ機器２０に接続している他のＨＡＲＴ通信対応機器１に関する情報である他デバイス情報を、ＨＡＲＴ−ＩＯ機器２０から受信する。
【００３４】
表示部１４は、自デバイス１に関する情報である自デバイス情報および他デバイス情報受信部１３により受信される他デバイス情報（以下、双方の情報を特に区別する必要が無い場合には、「デバイス情報」という。）を、ディスプレイに表示する。
【００３５】
デバイス情報としては、例えば、ＨＡＲＴ通信対応機器１の接続先情報、ＨＡＲＴ通信対応機器１の識別情報、ＨＡＲＴ通信対応機器１の測定値や制御値等の変数値を含む表示情報が該当する。本実施形態では、例示的に、ファイル番号、カード番号およびスロット番号で表す接続先情報と、上位装置３側でＨＡＲＴ通信対応機器１を識別するために設定するタグ名称と、ＨＡＲＴ通信対応機器１の代表的な表示情報である第１変数値（プライマリバリュー）および第２変数値（セカンダリバリュー）と、をデバイス情報として用いる。
【００３６】
ＨＡＲＴ通信対応機器１の接続先情報は、ＨＡＲＴ−ＩＯ機器２０および上位装置３で管理されている。ＨＡＲＴ通信対応機器１は、デバイス情報を初期表示する際に、ＨＡＲＴ−ＩＯ機器２０から自デバイスの接続先情報を取得する。
【００３７】
ＨＡＲＴ通信対応機器１のタグ名称は、各ＨＡＲＴ通信対応機器１で初期設定する。初期設定されたタグ名称は、例えば、ＨＡＲＴ通信の“UniversalCommand20:Read Long TAG”を利用して、各ＨＡＲＴ通信対応機器１からＨＡＲＴ−ＩＯ機器２０および上位装置３に伝送され、ＨＡＲＴ−ＩＯ機器２０および上位装置３で管理される。
【００３８】
ＨＡＲＴ通信対応機器１の第１変数値および第２変数値は、ＨＡＲＴ通信対応機器１の測定値や制御値等の変数値である。第１変数値および第２変数値は、例えば、ＨＡＲＴ通信の“UniversalCommand9:Read Device Variable with Status”を利用して、ＨＡＲＴ−ＩＯ機器２０が、定期的に各ＨＡＲＴ通信対応機器１から受信し、上位装置３に伝送するとともに、それぞれの最終値をＨＡＲＴ−ＩＯ機器２０で記憶する。
【００３９】
図２に示すＨＡＲＴ−ＩＯ機器２０は、例えば、接続口２１と、操作信号受信部２２と、選定部２３と、他デバイス情報送信部２４と、を有する。
【００４０】
接続口２１は、ＨＡＲＴ通信対応機器１をＨＡＲＴ−ＩＯ機器２０に接続するためのポートである。接続口２１は、一つのＨＡＲＴ−ＩＯ機器２０に複数設けられる。本実施形態では、例示的に、接続口２１を１６口設けた場合について説明するが、口数はこれに限定されず、任意に設けることができる。各接続口２１には、接続口２１を特定するためのスロット番号が付与される。
【００４１】
操作信号受信部２２は、ＨＡＲＴ通信対応機器１から送信される操作信号を受信する。
【００４２】
選定部２３は、操作信号受信部２２により受信された操作信号に基づいて、自ＨＡＲＴ−ＩＯ機器２０に接続しているＨＡＲＴ通信対応機器１の中から、操作信号の送信元のデバイスで表示させるデバイス情報の元となる、いずれか一つのＨＡＲＴ通信対応機器１を選定する。以下に、具体的に説明する。
【００４３】
操作信号が、“↓”キーの押下に対応する信号である場合、選定部２３は、その操作信号を受信するごとに、現時点の表示対象スロット番号から、スロット番号の昇順方向に接続口２１を走査し、直近の接続口２１に接続しているＨＡＲＴ通信対応機器１を、表示させるデバイス情報の元デバイスとして選定する。
【００４４】
操作信号が、“↑”キーの押下に対応する信号である場合、選定部２３は、その操作信号を受信するごとに、現時点の表示対象スロット番号から、スロット番号の降順方向に接続口２１を走査し、直近の接続口２１に接続しているＨＡＲＴ通信対応機器１を、表示させるデバイス情報の元デバイスとして選定する。
【００４５】
他デバイス情報送信部２４は、選定部２３により選定されたＨＡＲＴ通信対応機器１のデバイス情報を、操作信号の送信元であるＨＡＲＴ通信対応機器１に送信する。
【００４６】
図３を参照して、ＨＡＲＴ通信対応機器１Ａ（第１デバイス）で“↓”キー１１ａを操作して、他のＨＡＲＴ通信対応機器１Ｂ（第２デバイス）のデバイス情報を表示させる際の動作手順について説明する。
【００４７】
この説明の前提条件として、ＨＡＲＴ−ＩＯ装置２内のＨＡＲＴ−ＩＯ機器２０には、ＨＡＲＴ通信機能を有するデバイスとして、ＨＡＲＴ通信対応機器１ＡとＨＡＲＴ通信対応機器１Ｂのみが接続していることとする。また、ＨＡＲＴ−ＩＯ装置２のファイル番号は“５”であり、ＨＡＲＴ−ＩＯ機器２０のカード番号は“４”であり、ＨＡＲＴ通信対応機器１Ａが接続している接続口のスロット番号は“８”であり、ＨＡＲＴ通信対応機器１Ｂが接続している接続口のスロット番号は“１６”であることとする。
【００４８】
また、ＨＡＲＴ通信対応機器１Ａのディスプレイ１４Ａには、初期情報としてＨＡＲＴ通信対応機器１Ａのデバイス情報が表示されている。具体的に、１４ａには、ＨＡＲＴ通信対応機器１Ａの第１変数値を示す“１２．０ｍＡ”が表示されている。１４ｂには、ＨＡＲＴ通信対応機器１Ａの接続先情報である“５．４．８”およびＨＡＲＴ通信対応機器１Ａのタグ名称である“ＶＰ−Ａ”が表示されている。この“ＶＰ−Ａ”は、ＨＡＲＴ通信対応機器１Ａがバルブポジショナであり、その識別番号がＡであることを示す。１４ｃには、ＨＡＲＴ通信対応機器１Ａの第２変数値を示す“５０．１％”が表示されている。
【００４９】
また、ＨＡＲＴ通信対応機器１Ｂのディスプレイには、初期情報としてＨＡＲＴ通信対応機器１Ｂのデバイス情報が、上述したＨＡＲＴ通信対応機器１Ａと同様に表示されている。
【００５０】
最初に、ＨＡＲＴ通信対応機器１Ａにおいて、操作入力部１１に含まれる“↓”キー１１ａが押下される。“↓”キー１１ａが押下されたことは、例えば、ＨＡＲＴ通信の“UniversalCommand48:Read Additional Device Status”を利用して、ＨＡＲＴ−ＩＯ機器２０が、定期的にＨＡＲＴ通信対応機器１からステータスを取得することで、検知することとしてもよい。
【００５１】
続いて、“↓”キー１１ａの押下を検知したＨＡＲＴ−ＩＯ機器２０の選定部２３は、ＨＡＲＴ通信対応機器１Ａが接続しているスロット番号“８”から、スロット番号の昇順方向に、接続口を走査し、直近の接続口となるスロット番号“１６”の接続口に接続しているＨＡＲＴ通信対応機器１Ｂを選定する。
【００５２】
続いて、ＨＡＲＴ−ＩＯ機器２０の他デバイス情報送信部２４は、選定部２３により選定されたＨＡＲＴ通信対応機器１Ｂのデバイス情報を、他デバイス情報としてＨＡＲＴ通信対応機器１Ａに送信する。
【００５３】
続いて、ＨＡＲＴ通信対応機器１Ａの表示部１４は、ＨＡＲＴ通信対応機器１Ｂのデバイス情報を、ディスプレイ１４Ａ’に表示する。
【００５４】
その結果、ＨＡＲＴ通信対応機器１Ａのディスプレイ１４Ａ’の１４ａ’には、ＨＡＲＴ通信対応機器１Ｂの第１変数値を示す“８．０ｍＡ”が表示され、１４ｂ’には、ＨＡＲＴ通信対応機器１Ｂの接続先情報である“５．４．１６”およびＨＡＲＴ通信対応機器１Ｂのタグ名称である“ＶＰ−Ｂ”が表示され、１４ｃ’には、ＨＡＲＴ通信対応機器１Ｂの第２変数値を示す“２４．９％”が表示される。１４ｂ’の先頭に表示されている“Ｘ”は、現時点のディスプレイ１４Ａ’に表示されているデバイス情報が、他デバイス情報であることを示すマークである。
【００５５】
上述してきたように、実施形態におけるプロセス管理システム１００によれば、ＨＡＲＴ−ＩＯ機器２０に接続しているＨＡＲＴ通信対応機器１Ａでユーザが入力キーを操作して所望の操作指示を入力すると、ＨＡＲＴ−ＩＯ機器２０が、その操作指示に対応する操作信号に基づいて、ＨＡＲＴ−ＩＯ機器２０に接続している他のＨＡＲＴ通信対応機器１Ｂを選定し、その選定した他のＨＡＲＴ通信対応機器１Ｂのデバイス情報を、ＨＡＲＴ通信対応機器１Ａに送信することができる。これにより、ユーザが所望する他のＨＡＲＴ通信対応機器のデバイス情報を、ＨＡＲＴ通信対応機器１Ａのディスプレイに表示させることが可能となる。
【００５６】
また、ＨＡＲＴ通信対応機器１Ａで“↓”キーまたは“↑”キーを繰り返し押下することで、ＨＡＲＴ−ＩＯ機器２０に接続している他のＨＡＲＴ通信対応機器に関する情報を、順次、ディスプレイに表示させていくことが可能となる。
【００５７】
[変形例]
なお、上述した実施形態では、同一のＨＡＲＴ−ＩＯ機器２０に接続されているＨＡＲＴ通信対応機器１のデバイス情報を、“↑”キーまたは“↓”キーを操作して表示させているが、これに限定されない。例えば、同一のＨＡＲＴ−ＩＯ装置２内の他のＨＡＲＴ−ＩＯ機器２０に接続されているＨＡＲＴ通信対応機器１のデバイス情報を、“→”キーまたは“←”キーを操作して表示させることとしてもよい。
【００５８】
本変形例では、入力キーとして、上述した実施形態で用いた“↑”キーおよび“↓”キーに加え、現在位置しているＨＡＲＴ−ＩＯ機器から右方向（カード番号の昇順方向）にＨＡＲＴ−ＩＯ機器を検出するように指示するための“→”キー、現在位置しているＨＡＲＴ−ＩＯ機器から左方向（カード番号の降順方向）にＨＡＲＴ−ＩＯ機器を検出するように指示するための“←”キーを用いる。
【００５９】
したがって、本変形例における操作信号は、一つのＨＡＲＴ−ＩＯ機器２０内の接続口２１を順次選定するように指示する第１信号と、一つのＨＡＲＴ−ＩＯ装置２内のＨＡＲＴ−ＩＯ機器２０を順次選定するように指示する第２信号と、を含む。具体的に、第１信号は、“↑”キーまたは“↓”キーの押下に対応する信号であり、第２信号は、“→”キーまたは“←”キーの押下に対応する信号である。
【００６０】
選定部２３は、操作信号受信部２２により第１信号が受信された場合には、第１信号を受信するごとに、現時点の表示対象スロット番号から、スロット番号の昇順方向または降順方向に接続口２１を走査し、直近の接続口２１に接続しているＨＡＲＴ通信対応機器１を、表示させるデバイス情報の元デバイスとして選定する。
【００６１】
選定部２３は、操作信号受信部２２により第２信号が受信された場合には、第２信号を受信するごとに、現時点の表示対象カード番号から、カード番号の昇順方向または降順方向にＨＡＲＴ−ＩＯ機器２０を走査し、直近のＨＡＲＴ−ＩＯ機器２０に接続している、いずれかのＨＡＲＴ通信対応機器１を、表示させるデバイス情報の元デバイスとして選定する。
【００６２】
ここで、選定部２３は、第２信号に基づいて直近のＨＡＲＴ−ＩＯ機器を検出した場合には、検出したＨＡＲＴ−ＩＯ機器内の先頭（最小）のスロット番号から、スロット番号の昇順方向または降順方向に接続口２１を走査し、直近の接続口２１に接続しているＨＡＲＴ通信対応機器１を、表示させるデバイス情報の元デバイスとして選定してもよい。また、第２信号に基づいて直近のＨＡＲＴ−ＩＯ機器２０を検出した場合に、検出したＨＡＲＴ−ＩＯ機器２０内のスロット番号のうち、元のＨＡＲＴ−ＩＯ機器２０内で位置しているスロット番号と同一のスロット番号から、スロット番号の昇順方向または降順方向に接続口２１を走査し、直近の接続口２１に接続しているＨＡＲＴ通信対応機器１を、表示させるデバイス情報の元デバイスとして選定してもよい。
【００６３】
図４を参照して、本変形例におけるＨＡＲＴ通信対応機器１Ａ（第１デバイス）で“→”キー１１ｂを操作して、他のＨＡＲＴ通信対応機器１Ｃ（第２デバイス）のデバイス情報を表示させる際の動作手順について説明する。
【００６４】
この説明の前提条件として、ＨＡＲＴ−ＩＯ装置２内のＨＡＲＴ−ＩＯ機器２０ＡとＨＡＲＴ−ＩＯ機器２０Ｂのみに、ＨＡＲＴ通信機能を有するデバイスが接続していることとする。また、ＨＡＲＴ−ＩＯ装置２のファイル番号は“５”であり、ＨＡＲＴ−ＩＯ機器２０Ａのカード番号は“４”であり、ＨＡＲＴ−ＩＯ機器２０Ｂのカード番号は“６”であり、ＨＡＲＴ通信対応機器１Ａが接続している接続口のスロット番号は“８”であり、ＨＡＲＴ通信対応機器１Ｃが接続している接続口のスロット番号は“３”であることとする。
【００６５】
また、ＨＡＲＴ通信対応機器１Ａのディスプレイ１４Ａには、初期情報としてＨＡＲＴ通信対応機器１Ａのデバイス情報（図３と同一のデバイス情報）が表示されており、ＨＡＲＴ通信対応機器１Ｃのディスプレイには、初期情報としてＨＡＲＴ通信対応機器１Ｃのデバイス情報が表示されている。
【００６６】
最初に、ＨＡＲＴ通信対応機器１Ａにおいて、操作入力部１１に含まれる“→”キー１１ｂが押下される。
【００６７】
続いて、“→”キー１１ｂの押下を検知したＨＡＲＴ−ＩＯ機器２０Ａの選定部２３は、ＨＡＲＴ通信対応機器１Ａが接続しているカード番号“４”から、カード番号の昇順方向に、ＨＡＲＴ−ＩＯ機器を走査し、ＨＡＲＴ−ＩＯ機器のうち、ＨＡＲＴ通信対応機器が接続している直近のＨＡＲＴ−ＩＯ機器２０Ｂを選定する。
【００６８】
続いて、ＨＡＲＴ−ＩＯ機器２０Ａの選定部２３は、選定したＨＡＲＴ−ＩＯ機器２０Ｂの先頭スロット番号から、スロット番号の昇順方向に、接続口を走査し、直近の接続口となるスロット番号“３”の接続口に接続しているＨＡＲＴ通信対応機器１Ｃを選定する。
【００６９】
続いて、ＨＡＲＴ−ＩＯ機器２０Ａの他デバイス情報送信部２４は、選定部２３により選定されたＨＡＲＴ通信対応機器１Ｃのデバイス情報を、他デバイス情報としてＨＡＲＴ通信対応機器１Ａに送信する。
【００７０】
続いて、ＨＡＲＴ通信対応機器１Ａの表示部１４は、ＨＡＲＴ通信対応機器１Ｃのデバイス情報を、ディスプレイ１４Ａ’に表示する。
【００７１】
その結果、ＨＡＲＴ通信対応機器１Ａのディスプレイ１４Ａ’の１４ａ’には、ＨＡＲＴ通信対応機器１Ｃの第１変数値を示す“１６．０ｍＡ”が表示され、１４ｂ’には、ＨＡＲＴ通信対応機器１Ｃの接続先情報である“５．６．３”およびＨＡＲＴ通信対応機器１Ｃのタグ名称である“ＶＰ−Ｃ”が表示され、１４ｃ’には、ＨＡＲＴ通信対応機器１Ｃの第２変数値を示す“７５．２％”が表示される。１４ｂ’の先頭に表示される“Ｘ”は、現在のディスプレイ１４Ａ’に表示されているデバイス情報が、他デバイス情報であることを示すマークである。
【００７２】
このように、変形例におけるプロセス管理システム１００によれば、実施形態におけるプロセス管理システム１００が奏する効果に加え、ＨＡＲＴ通信対応機器１Ａにおいて、“↓”キーまたは“↑”キーと、“→”キーまたは“←”キーとを組み合わせて入力していくことで、ＨＡＲＴ−ＩＯ機器２０Ａに接続している他のＨＡＲＴ通信対応機器に関する情報に加え、他のＨＡＲＴ−ＩＯ機器２０Ｂに接続している他のＨＡＲＴ通信対応機器に関する情報も、順次、ディスプレイに表示させていくことが可能となる。
【符号の説明】
【００７３】
１…ＨＡＲＴ通信対応機器
２…ＨＡＲＴ−ＩＯ装置
３…上位装置
４…通信ケーブル
５…通信バス
１１…操作入力部
１２…操作信号送信部
１３…他デバイス情報受信部
１４…表示部
２０…ＨＡＲＴ通信対応機器
２１…接続口
２２…操作信号受信部
２３…選定部
２４…他デバイス情報送信部
３１…機器監視装置
３２…運転操作装置
３３…コントローラ
１００…プロセス管理システム
【図１】
2014095994.tif 000003
【図２】
2014095994.tif 000004
【図３】
2014095994.tif 000005
【図４】
2014095994.tif 000006